(57)【特許請求の範囲】
【請求項１】
シングルキャリア方式により上りリンクの信号を送信するユーザ装置と通信を行う基地局装置であって：
ユーザ装置の上りリンクチャネルの受信状態に基づいて、周波数を割り当てるスケジューリングを行い、
ユーザ装置が送信できる最大の帯域で送信する場合のリファレンスシグナルの系列長における第１の系列識別子及び前記ユーザ装置に割り当てた周波数帯域に基づいて、前記ユーザ装置で使用される第２の系列識別子を決定する系列識別子決定手段；
決定された第２の系列識別子を用いて、前記ユーザ装置から送信される上りリンクのリファレンスシグナルを受信する受信手段；
を備えることを特徴とする基地局装置。
【請求項２】
請求項１に記載の基地局装置において：
前記第１の系列識別子を、ユーザ装置に通知する通知手段
を備えることを特徴とする基地局装置。
【請求項３】
請求項２に記載の基地局装置において：
前記通知手段は、前記第１の系列識別子を含むスケジューリング許可を示す制御情報を送信することを特徴とする基地局装置。
【請求項４】
請求項１に記載の基地局装置において：
各セルのセルＩＤと前記第１の系列識別子とが関係づけられていることを特徴とする基地局装置。
【請求項５】
請求項１ないし４のいずれか１項に記載の基地局装置において：
前記系列識別子決定手段は、前記ユーザ装置に割り当てた周波数帯域に基づいて、該ユーザ装置に割り当て可能な系列の数を求め、前記第１の系列識別子に対する前記ユーザ装置に割り当て可能な系列の数のモジュロを求めることにより第２の系列識別子を決定することを特徴とする基地局装置。
【請求項６】
請求項１ないし４のいずれか１項に記載の基地局装置において：
前記第１の系列識別子毎に、前記ユーザ装置に割り当てた周波数帯域と前記第２の系列識別子とが対応付けられたテーブル；
を備え、
前記系列識別子決定手段は、前記テーブルを参照し、第２の系列識別子を決定することを特徴とする基地局装置。
【請求項７】
請求項１ないし６のいずれか１項に記載の基地局装置において：
前記リファレンスシグナルの系列はカザック系列であることを特徴とする基地局装置。
【請求項８】
シングルキャリア方式により上りリンクの信号を送信し、基地局装置と通信を行うユーザ装置であって：
前記基地局装置は、ユーザ装置の上りリンクチャネルの受信状態に基づいて、周波数を割り当てるスケジューリングを行い、
自ユーザ装置が送信できる最大の帯域で送信する場合のリファレンスシグナルの系列長における第１の系列識別子及び前記基地局装置により割り当てられた周波数帯域に基づいて、自ユーザ装置で使用する第２の系列識別子を決定する系列識別子決定手段；
決定された第２の系列識別子を用いて、上りリンクのリファレンスシグナルを生成するリファレンスシグナル生成手段；
を備えることを特徴とするユーザ装置。
【請求項９】
シングルキャリア方式により上りリンクの信号を送信するユーザ装置と、該ユーザ装置と通信を行う基地局装置とを備える無線通信システムにおけるリファレンスシグナル系列の割り当て方法であって：
前記基地局装置は、ユーザ装置の上りリンクチャネルの受信状態に基づいて、周波数を割り当てるスケジューリングを行い、
前記基地局装置が、前記ユーザ装置が送信できる最大の帯域で送信する場合のリファレンスシグナルの系列長における第１の系列識別子及び前記ユーザ装置に割り当てた周波数帯域に基づいて、前記ユーザ装置で使用される第２の系列識別子を決定するステップ；
前記ユーザ装置が、前記第１の系列識別子及び前記基地局装置により割り当てられた周波数帯域に基づいて、自ユーザ装置で使用する第２の系列識別子を決定するステップ；
前記ユーザ装置が、決定された第２の系列識別子を用いて、上りリンクのリファレンスシグナルを生成するステップ；
前記ユーザ装置が、生成したリファレンスシグナルを送信するステップ；
前記基地局装置が、決定された第２の系列識別子を用いて、前記ユーザ装置から送信される上りリンクのリファレンスシグナルを受信するステップ；
を有することを特徴とするリファレンスシグナル系列の割り当て方法。
【発明の詳細な説明】
【技術分野】
【０００１】
本発明は、無線通信システムに関し、特に基地局装置及びユーザ装置並びにリファレンスシグナル系列の割り当て方法に関する。
【背景技術】
【０００２】
Ｗ−ＣＤＭＡやＨＳＤＰＡの後継となる通信方式、すなわちロングタームエボリューション（ＬＴＥ：  Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。
【０００５】
Ｅ−ＵＴＲＡにおける上りリンクのリファレンスシグナル（Ｒｅｆｅｒｅｎｃｅ  ｓｉｇｎａｌ）はパイロットチャネルのことを指し、同期、コヒーレント検波のためのチャネル推定、パワコン時の受信ＳＩＮＲ測定等に使用される。リファレンスシグナルは、受信側で既知の送信信号であり、周期的に各サブフレームに埋め込まれていて、基地局側で受信される。
【０００６】
Ｗ−ＣＤＭＡでは、リファレンスシグナル（パイロットチャネル）に用いられる信号系列は、ユーザ固有のＰＮ系列、正確には、長周期のＧｏｌｄ系列と直交系列とを掛け合わせた系列であった。さらに、その長さが長く、系列の種類を多く作ることができた。しかしながら、ＰＮ系列は相関特性が優れないため、チャネル推定精度等が劣化する問題があった。すなわち、パイロットチャネルを送信した場合に、他のユーザのパイロットチャネルとの干渉が大きい。また、マルチパスであれば、その遅延波でそのパイロットチャネルの系列との自己相関が大きく現れる。Ｗ−ＣＤＭＡでは、ＲＡＫＥなどの簡単な受信処理が行われているが、Ｅ−ＵＴＲＡでは、イコライザなどの高精度なチャネル推定を用いてマルチパス干渉を抑圧することを前提として設計されている。そこで、Ｅ−ＵＴＲＡでは、ユーザ固有のＰＮ系列の代わりにカザック（ＣＡＺＡＣ：  Ｃｏｎｓｔａｎｔ  Ａｍｐｌｉｔｕｄｅ  ａｎｄ  Ｚｅｒｏ  Ａｕｔｏ−Ｃｏｒｒｅｌａｔｉｏｎ）系列が用いられるようになった（例えば、非特許文献２参照）。
【０００７】
ＣＡＺＡＣ系列は、符号の自己相関特性及び相互相関特性が非常に優れるため、高精度なチャネル推定を実現でき、ＰＮ系列を用いた場合に比較して、復調精度を大幅に改善できる。ＣＡＺＡＣ系列は、周波数領域及び時間領域とも信号の振幅の変動が小さく、比較的平らである。ＰＮ系列だと周波数領域で振幅の変動が大きい。したがって、ＣＡＺＡＣ系列を用いることにより、イコライザで周波数毎のチャネル推定が精度よくできる。また、ＣＡＺＡＣ系列は、送信した系列の自己相関は零となるため、マルチパスの影響を小さく抑えることができる。
【０００８】
しかし、ＣＡＺＡＣ系列には、以下の課題がある。
・系列の数が少ない：ユーザ固有の系列とすることはできないので、系列のセル繰り返しが必要になる。系列の数は、特にＳＣ−ＦＤＭＡで送信帯域が小さい（狭い）ときに小さくなる。特にＳＣ−ＦＤＭＡで送信帯域が小さいとき、シンボルレートが小さくなるため、ＣＡＺＡＣ系列長が減少する。すなわち、Ｅ−ＵＴＲＡでは、時間多重でリファレンスシグナルが入れられるので、送信帯域が狭い場合にはシンボルレートが低くなるので、系列長が小さくなる。系列数は系列長と同数になる。例えば、１８０ｋＨｚでは１２シンボルとなる場合、ユーザ固有の系列とすることはできず、１２個の系列を同じセルで重複しないように繰り返し割り当てる必要がある。
・異なる系列長のＣＡＺＡＣ系列間の相互相関は、組み合わせによって比較的大きなばらつきがあり、相互相関が大きい場合は、チャネル推定精度が劣化する。
【０００９】
次に、Ｅ−ＵＴＲＡにおける上りリンクの無線アクセスに使用されるＳＣ−ＦＤＭＡについて、図１を参照して説明する。システムで使用可能な周波数帯域は、複数のリソースブロックに分割され、リソースブロックの各々は１以上のサブキャリアを含む。ユーザ装置（ＵＥ：  Ｕｓｅｒ  Ｅｑｕｉｐｍｅｎｔ）には１以上のリソースブロックが割り当てられる。周波数スケジューリングでは、ユーザ装置から報告される下りパイロットチャネルのリソースブロック毎の受信信号品質又はチャネル状態情報(CQI:  Channel  Quality  Indicator）に応じて、チャネル状態の良好な端末に優先的にリソースブロックを割り当てることにより、システム全体の伝送効率又はスループットを向上させる。また、使用可能な周波数ブロックを所定の周波数ホッピングパターンに従って変更する周波数ホッピングも適用されるようにしてもよい。
【００１０】
図１において、異なるハッチングは異なるユーザに割り当てられる時間・周波数リソースを示す。ＵＥ２は、広めの帯域が割り当てられていたが、次のサブフレームでは狭い帯域が割り当てられる。各ユーザは、重複しないように異なる周波数帯域が割り当てられる。
【００１１】
ＳＣ−ＦＤＭＡでは、セル内の各ユーザは、異なる時間・周波数リソースを用いて送信する。このようにして、セル内のユーザ間の直交が実現される。この時間・周波数リソースの最小の単位をリソースユニット（ＲＵ：  Ｒｅｓｏｕｒｃｅ  Ｕｎｉｔ）と呼ぶ。ＳＣ−ＦＤＭＡでは、連続する周波数を割り当てることにより、低ＰＡＰＲ（ｐｅａｋ−ｔｏ−ａｖｅｒａｇｅ  ｐｏｗｅｒ  ｒａｔｉｏ）のシングルキャリア伝送が実現される。ＳＣ−ＦＤＭＡでは、割り当てる時間・周波数リソースは、基地局装置のスケジューラが、各ユーザの伝搬状況、送るべきデータのＱｏＳ（Ｑｕａｌｉｔｙ  ｏｆ  Ｓｅｒｖｉｃｅ）に基づいて決定する。ここで、ＱｏＳにはデータレート、所要の誤り率、遅延が含まれる。このように、伝搬状況のよい時間・周波数リソースを各ユーザに割り当てることによりスループットを増大できる。
【００１２】
各基地局装置は、割り当てる時間・周波数リソースを個々に行っているため、あるセルで割り当てられた帯域が、隣のセルで割り当てられる帯域の一部と重なる場合が生じる。このように、隣のセルで割り当てられる帯域の一部が重なる場合には、干渉が生じ互いに劣化する。
【００１３】
次に、上りリンクＳＣ−ＦＤＭＡにおけるリファレンスシグナルについて、図２を参照して説明する。図２には、フレーム構成の一例を示す。
【００１４】
サブフレームと呼ばれるＴＴＩのパケット長は１ｍｓである。サブフレームには、ＦＦＴされるブロックが１４個含まれ、そのうちの２カ所がリファレンスシグナルの送信に使用され、残りの１２カ所がデータの送信に使用される。
【００１５】
リファレンスシグナルは、データチャネルと時間分割多重（ＴＤＭ：  Ｔｉｍｅ  Ｄｉｖｉｓｉｏｎ  Ｍｕｌｔｉｐｌｅｘｉｎｇ）される。送信帯域幅は、周波数スケジューリングによる基地局装置からの指示によりダイナミックに変動する。このため、送信帯域幅が小さくなればシンボルレートが下がるので、固定の時間長で送信されるリファレンスシグナルの系列長は小さくなり、送信帯域幅が大きくなればシンボルレートが上がるので、固定の時間長で送信されるリファレンスシグナルの系列長は大きくなる。狭帯域の場合、例えばリファレンスシグナルが１リソースユニット、例えば１２サブキャリアで送信される場合、すなわち１８０ｋＨｚで構成される場合、シンボル数は１２となるため、系列長も約１２となり、系列数も約１２となる。一方、広帯域の場合、例えばリファレンスシグナルが２５リソースユニット、例えば３００サブキャリアで送信される場合、すなわち４．５ＭＨｚで構成される場合、シンボル数は３００となるため、系列長も約３００となり、系列数も約３００となる。
【非特許文献１】3GPP  TR  25.814  (V7.0.0),  "Physical  Layer  Aspects  for  Evolved  UTRA,"  June  2006
【非特許文献２】3GPP  TS  36.211  (V1.0.0),  May  2007
【発明の開示】
【発明が解決しようとする課題】
【００１６】
しかしながら、上述した背景技術には以下の問題がある。
【００１７】
ＣＡＺＡＣ系列を用いたリファレンスシグナルは、自セルと干渉セルが同じ周波数帯で同じ周波数帯域幅を用いている場合、非常に小さな相互相関（干渉）に抑えられるため良好な通信品質が得られる。
【００１８】
しかし、ＳＣ−ＦＤＭＡでは、各ユーザが用いる周波数帯と周波数帯域幅は，スケジューリング結果により時々刻々と変化し、干渉局と同じ周波数帯で同じ周波数帯域幅をあるユーザに割り当てることはむしろまれである。すなわち、干渉局と同じ周波数帯域幅であっても周波数帯が異なる場合が多い。この場合、干渉は、異なる周波数帯域幅のＣＡＺＡＣ系列間の相関になるため、大きな干渉を生じる系列の組み合わせが存在し、通信品質を劣化させる場合がある。ここで、リファレンスシグナルに用いるＣＡＺＡＣ系列の種類は少ないため、セル毎に固有の系列を割り当てることになるが、各セルで周波数帯域幅に応じて一つのＣＡＺＡＣ系列を常に用いるとすると、干渉セルとの周波数帯域幅の組み合わせがよくない場合、全てのフレームで継続的に大きな干渉が生じ、通信品質の大きな劣化の要因になる。Ｗ−ＣＤＭＡでは、リファレンスシグナルの周期が非常に長いため、あるフレームでたまたま大きな干渉が生じても、後続するフレームでは干渉の大きさが小さくなることが期待できた。
【００１９】
前述のようにＣＡＺＡＣ系列を用いたリファレンスシグナルは、系列の種類が少ないため、セル毎に固有の系列を割り当てることになる。系列数は、割り当てられる周波数帯域幅に比例し、系列長とほぼ同等となる。従って、伝搬状況の良好な時間・周波数リソースを各ユーザに割り当てるＥ−ＵＴＲＡでは、割り当てられた周波数帯域幅によって、系列のセル間リユース数が異なることになる。そのため、割り当てられた周波数帯域幅毎に、ユーザ端末が使用する系列番号を基地局装置が通知する必要があり、シグナリングの観点から問題となる。すなわち、シグナリングの回数が増大する。
【００２０】
一方、例えば、最も小さい周波数帯域幅、すなわち、最も小さいセル間リユース数を基準として、系列をグルーピングして、ユーザ端末に通知するシグナリングを低減することも考えられるが、この場合、セル間リユース数が制限されるため、系列の衝突確率が増大し、その結果、チャネル推定精度、受信品質測定精度等の劣化に繋がる可能性がある。
【００２１】
特に、チャネル品質測定に用いるリファレンスシグナルは、セル間で同様の周波数帯域の割り当てが行われることが想定されるので、系列の衝突が起こりやすい。
【００２２】
そこで、本発明は、上述した課題に鑑み、その目的は、Ｅ−ＵＴＲＡが適用されるシステムにおいて、基地局装置が通知するシグナリングを増加させることなく、セル間における系列の衝突を低減することができる基地局装置及びユーザ装置並びにリファレンスシグナル系列の割り当て方法を提供することにある。
【課題を解決するための手段】
【００２３】
上記課題を解決するため、本発明の基地局装置は、
シングルキャリア方式により上りリンクの信号を送信するユーザ装置と通信を行う基地局装置であって：
ユーザ装置の上りリンクチャネルの受信状態に基づいて、周波数を割り当てるスケジューリングを行い、
ユーザ装置が送信できる最大の帯域で送信する場合のリファレンスシグナルの系列長における第１の系列識別子及び前記ユーザ装置に割り当てた周波数帯域に基づいて、前記ユーザ装置で使用される第２の系列識別子を決定する系列識別子決定手段；
決定された第２の系列識別子を用いて、前記ユーザ装置から送信される上りリンクのリファレンスシグナルを受信する受信手段；
を備えることを特徴の１つとする。
【００２４】
本発明のユーザ装置は、
シングルキャリア方式により上りリンクの信号を送信し、基地局装置と通信を行うユーザ装置であって：
前記基地局装置は、ユーザ装置の上りリンクチャネルの受信状態に基づいて、周波数を割り当てるスケジューリングを行い、
自ユーザ装置が送信できる最大の帯域で送信する場合のリファレンスシグナルの系列長における第１の系列識別子及び前記基地局装置により割り当てられた周波数帯域に基づいて、自ユーザ装置で使用する第２の系列識別子を決定する系列識別子決定手段；
決定された第２の系列識別子を用いて、上りリンクのリファレンスシグナルを生成するリファレンスシグナル生成手段；
を備えることを特徴の１つとする。
【００２５】
本発明のリファレンスシグナル系列の割り当て方法は、
シングルキャリア方式により上りリンクの信号を送信するユーザ装置と、該ユーザ装置と通信を行う基地局装置とを備える無線通信システムにおけるリファレンスシグナル系列の割り当て方法であって：
前記基地局装置は、ユーザ装置の上りリンクチャネルの受信状態に基づいて、周波数を割り当てるスケジューリングを行い、
前記基地局装置が、前記ユーザ装置が送信できる最大の帯域で送信する場合のリファレンスシグナルの系列長における第１の系列識別子及び前記ユーザ装置に割り当てた周波数帯域に基づいて、前記ユーザ装置で使用される第２の系列識別子を決定するステップ；
前記ユーザ装置が、前記第１の系列識別子及び前記基地局装置により割り当てられた周波数帯域に基づいて、自ユーザ装置で使用する第２の系列識別子を決定するステップ；
前記ユーザ装置が、決定された第２の系列識別子を用いて、上りリンクのリファレンスシグナルを生成するリファレンスシグナル生成手段；
前記ユーザ装置が、生成したリファレンスシグナルを送信するステップ；
前記基地局装置が、決定された第２の系列識別子を用いて、前記ユーザ装置から送信される上りリンクのリファレンスシグナルを受信するステップ；
を有することを特徴の１つとする。
【発明の効果】
【００２６】
本発明の実施例によれば、Ｅ−ＵＴＲＡが適用されるシステムにおいて、基地局装置が通知するシグナリングを増加させることなく、セル間における系列の衝突を低減することができる基地局装置及びユーザ装置並びにリファレンスシグナル系列の割り当て方法を実現することができる。
【発明を実施するための最良の形態】
【００２７】
以下、本発明の実施例を、図面を参照しつつ説明する。実施例を説明するための全図において、同一機能を有するものは同一符号を用い、繰り返しの説明は省略する。
【００２８】
図３を参照しながら、本発明の実施例に係るユーザ装置及び基地局装置を有する無線通信システムについて説明する。ユーザ装置は移動局装置とも呼ばれる。
【００２９】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１０００は、基地局装置（ｅＮＢ：  ｅＮｏｄｅ  Ｂ）２００ｍ（２００１、２００２、２００３、・・・、２００ｍ、ｍはｍ＞０の整数）と、基地局装置２００ｍと通信する複数のユーザ装置１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。ユーザ装置１００ｎはセル５０ｋ（５０１、５０２、・・・、５０ｋ、ｋはｋ＞０の整数）のいずれかにおいて基地局装置２００ｍとＥｖｏｌｖｅｄ  ＵＴＲＡ  ａｎｄ  ＵＴＲＡＮにより通信を行う。
ここで、上記ユーザ装置１００ｎには、基地局装置２００ｍのいずれかと通信チャネルを確立し、通信状態にあるものと、基地局装置２００ｍのいずれとも通信チャネルを確立しておらず、無通信状態にあるものが混在するものとする。
【００３０】
基地局装置２００ｍは、同期信号を送信する。ユーザ装置１００ｎは、セル５０ｋ（５０１、５０２、５０３、・・・５０ｋ、ｋはｋ＞０の整数）のいずれかに位置し、電源立ち上げ時、あるいは、通信中の間欠受信時等において、上記同期信号に基づいて、自ユーザ装置にとって無線品質が良好なセルを検出するセルサーチを行う。すなわち、ユーザ装置１００ｎは、同期信号を用いてシンボルタイミングとフレームタイミングとを検出し、かつ、セルID（セルIDから生成されるセル固有のスクランブルコード）またはセルＩＤの集合（以下、セルＩＤグループと呼ぶ）などのセル固有の制御情報の検出を行う。
【００３１】
ここで、セルサーチは、ユーザ装置１００ｎが通信状態にある場合と無通信状態にある場合の両方で行われる。例えば、通信状態におけるセルサーチとしては、同じ周波数のセルを検出するためのセルサーチや異なる周波数のセルを検出するためのセルサーチ等がある。また、無線通信状態におけるセルサーチとしては、例えば、電源立ち上げ時のセルサーチや待ち受け時のセルサーチ等がある。
【００３２】
以下、基地局装置２００ｍ（２００１、２００２、２００３、・・・２００ｍ）については、同一の構成、機能、状態を有するので、以下では特段の断りがない限り基地局装置２００ｍとして説明を進める。以下、ユーザ装置１００ｎ（１００１、１００２、１００３、・・・１００ｎ）については、同一の構成、機能、状態を有するので、以下では特段の断りがない限りユーザ装置１００ｎとして説明を進める。以下、セル５０ｋ（５０１、５０２、５０３、・・・５０ｋ）については、同一の構成、機能、状態を有するので、以下では特段の断りがない限りセル５０ｋとして説明を進める。
【００３３】
無線通信システム１０００は、無線アクセス方式として、下りリンクについてはＯＦＤＭ（直交周波数分割多元接続）、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数のユーザ装置間で異なる周波数帯域を用いて伝送することで、ユーザ装置間の干渉を低減することができる伝送方式である。
【００３４】
ここで、Ｅｖｏｌｖｅｄ  ＵＴＲＡ  ａｎｄ  ＵＴＲＡＮにおける通信チャネルについて説明する。
【００３５】
下りリンクについては、各ユーザ装置１００ｎで共有して使用される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、ＬＴＥ用の下り制御チャネルとが用いられる。下りリンクでは、ＬＴＥ用の下り制御チャネルにより、物理下りリンク共有チャネルにマッピングされるユーザ装置の情報やトランスポートフォーマットの情報、物理上りリンク共有チャネルにマッピングされるユーザ装置の情報やトランスポートフォーマットの情報、物理上りリンク共有チャネルの送達確認情報などが通知され、物理下りリンク共有チャネルによりユーザデータが伝送される。
【００３６】
また、下りリンクにおいて、基地局装置２００ｍは、ユーザ装置１００ｎがセルサーチを行うための同期信号を送信する。
【００３７】
上りリンクについては、各ユーザ装置１００ｎで共有して使用される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と、ＬＴＥ用の上り制御チャネルとが用いられる。尚、上り制御チャネルには、物理上りリンク共有チャネルと時間多重されるチャネルと、周波数多重されるチャネルの２種類がある。
【００３８】
上りリンクでは、ＬＴＥ用の上り制御チャネルにより、下りリンクにおける物理共有チャネルのスケジューリング、適応変復調・符号化（ＡＭＣ：  Ａｄａｐｔｉｖｅ  Ｍｏｄｕｌａｔｉｏｎ  ａｎｄ  Ｃｏｄｉｎｇ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの物理共有チャネルの送達確認情報（ＨＡＲＱ  ＡＣＫ  ｉｎｆｏｒｍａｔｉｏｎ）が伝送される。また、物理上りリンク共有チャネルによりユーザデータが伝送される。
【００３９】
物理上りリンク制御チャネルでは、ＣＱＩや送達確認情報に加えて、上りリンクの共有チャネルのリソース割り当てを要求するスケジューリング要求（Ｓｃｈｅｄｕｌｉｎｇ  Ｒｅｑｕｅｓｔ）や、パーシステントスケジューリング（Ｐｅｒｓｉｓｔｅｎｔ  Ｓｃｈｅｄｕｌｉｎｇ）におけるリリース要求（Ｒｅｌｅａｓｅ  Ｒｅｑｕｅｓｔ）等が送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを基地局装置がユーザ装置に通知することを意味する。
【００４０】
本実施例に係る無線通信システムでは、リファレンスシグナル（ＲＳ：  ｒｅｆｅｒｅｎｃｅ  ｓｉｇｎａｌ）（以下、ＲＳとも呼ぶ）に系列数の少ない系列が使用される場合に、割り当てられた周波数帯域幅（リファレンス系列の系列長）に応じて、系列がセル間でリユース（再使用）される。以下、セル間で再使用される系列の数をセル間リユース数と呼ぶ。本実施例においては、系列数の少ない系列として、カザック系列（Ｃｏｎｓｔａｎｔ  Ａｍｐｌｉｔｕｄｅ  ａｎｄ  Ｚｅｒｏ  Ａｕｔｏ−Ｃｏｒｒｅｌａｔｉｏｎ）を適用した場合について説明するがこの系列に限られず、他の系列を適用してもよい。カザック系列は、符号の自己相関特性、及び相互相関特性が非常に優れる。このため、高精度なチャネル推定を実現でき、ＰＮ系列を用いた場合に比較して、復調精度を大幅に改善できる。
【００４１】
すなわち、本実施例に係る無線通信システムでは、カザック系列を用いるリファレンスシグナルには、割り当てられた周波数帯域幅（リファレンス系列の系列長）に応じたセル間リユース数が適用される。よって、割り当てられた周波数帯域が大きい（広い）程、セル間でリユースされる系列数を大きくとれるため、セル間で使用される系列の衝突確率を大幅に低減することができる。例えば、１リソースユニット（帯域幅１８０ｋＨｚ）の場合は、セル間リユース数は１２となる。２５リソースユニット（帯域幅４．５ＭＨｚ）の場合は、セル間リユース数は、１２×２５＝３００となる。一般に、Ｎリソースユニット（Ｎは、Ｎ＞０の整数）（帯域幅０．１８×Ｎ  ＭＨｚ）の場合、セル間リユース数は１２×Ｎ程度となる。
【００４２】
また、本実施例に係る基地局装置２００ｍは、使用する上りリファレンスシグナルの系列番号、すなわちユーザ装置１００ｎに対して使用させる上りリファレンスシグナルの系列番号をユーザ装置１００ｎに通知する代わりに、その通知する情報として、第１の系列識別子としての最大系列長のリファレンスシグナルの系列番号を通知する。ここで、最大系列長のリファレンスシグナルの系列番号とは、ユーザ装置が送信できる最大の帯域で送信するリファレンスシグナルの系列長における系列番号である。例えば、基地局装置２００ｍは、ユーザ装置１００ｎが送信できる最大の帯域と、該ユーザに使用させる系列番号とを対応付けて予め記憶する。この系列番号はセル間で重複しないように予め割り当てられるセル固有の値である。例えば、基地局装置２００ｍの設置時に割り当てられる。
【００４３】
基地局装置２００ｍは、ユーザ装置１００ｎに通知した、最大系列長のリファレンスシグナルの系列番号に基づいて、その他の系列長のリファレンスシグナルの系列番号を求める。具体的には、システム帯域幅が５ＭＨｚである場合に、１ユーザに割り当てることができる帯域幅は、ガードバンドを除去する必要があるため、４．５ＭＨｚとなる。この４．５ＭＨｚは、２５リソースユニットに相当するため、セル間リユース数は、１２×２５＝３００となる。基地局装置２００ｍは、これらの３００個の系列のうち、自基地局装置で使用する系列番号をユーザ装置１００ｎに通知する。例えば、最大系列長のリファレンスシグナルの系列番号として、＃２００が通知される。
【００４４】
基地局装置２００ｍは、通知した最大系列長のリファレンスシグナルの系列番号と、スケジューリングによりユーザ装置１００ｎに割り当てた帯域幅に基づいて求めた該ユーザ装置１００ｎに割り当て可能な系列数に基づいて、第２の系列識別子としてのユーザ装置１００ｎにおいて使用される系列番号を求める。例えば、通知した最大系列長のリファレンスシグナルの系列番号に対して、モジュロ（ユーザ装置１００ｎに割り当てた帯域幅に基づいて求めた該ユーザ装置１００ｎに割り当て可能な系列数）を計算し、その値をユーザ装置１００ｎにおいて使用される系列番号とする。例えば、基地局装置２００ｍは、スケジューリングを行った結果、そのユーザ装置１００ｎに１．８ＭＨｚの帯域幅を割り当てることを決定する。この１．８ＭＨｚは、１０リソースユニットに相当するため、該ユーザ装置１００ｎに割り当て可能な系列数は１２×１０＝１２０となる。基地局装置２００ｍは、通知した最大系列長のリファレンスシグナルの系列番号＃２００と、ユーザ装置１００ｎに割り当てた帯域幅に基づいて求めた該ユーザ装置１００ｎに割り当て可能な系列数１２０とを用いて、ユーザ装置１００ｎにおいて使用される系列番号２００％１２０＝８０を求める。ここで、「％」はモジュロ演算子である。一般に、最大系列長の系列番号が＃Ｍである場合、該ユーザ装置１００ｎに割り当てた帯域幅がＮリソースユニットのときに使用する系列番号は、モジュロ演算を用いて、Ｍ％（Ｎ×１２）と決定される。基地局装置２００ｍは、求めた系列番号に相当する系列により、ユーザ装置１００ｎから送信されるリファレンスシグナルを受信する。
【００４５】
ユーザ装置１００ｎは、基地局装置２００ｍにより通知された最大系列長のリファレンスシグナルの系列番号に基づいて、基地局装置２００ｍと同様の演算を行う。例えば、ユーザ装置１００ｎは、通知された最大系列長のリファレンスシグナルの系列番号と、基地局装置２００ｍにおけるスケジューリングにより自ユーザ装置１００ｎに割り当てられた帯域幅に基づいて求めた自ユーザ装置１００ｎに割り当て可能な系列数に基づいて、自ユーザ装置１００ｎにおいて使用する系列番号を求める。ここで、自ユーザ装置１００ｎに割り当てられた帯域幅とその位置は、下りリンクの制御チャネルにより基地局装置２００ｍにより予め通知される。例えば、通知された最大系列長のリファレンスシグナルの系列番号に対して、モジュロ（自ユーザ装置１００ｎに割り当てられた帯域幅に基づいて求めた自ユーザ装置１００ｎに割り当て可能な系列数）を計算し、その値を自ユーザ装置１００ｎにおいて使用する系列番号とする。
【００４６】
例えば、ユーザ装置１００ｎは、基地局装置２００ｍによるスケジューリングの結果、１．８ＭＨｚの帯域幅が割り当てられたことが通知される。この１．８ＭＨｚは、１０リソースユニットに相当するため、自ユーザ装置１００ｎに割り当て可能な系列数は１２×１０＝１２０となる。ユーザ装置１００ｎは、通知された最大系列長のリファレンスシグナルの系列番号＃２００と、自ユーザ装置１００ｎに割り当てられた帯域幅に基づいて求めた自ユーザ装置１００ｎに割り当て可能な系列数１２０とを用いて、自ユーザ装置１００ｎにおいて使用する系列番号２００％１２０＝８０を求める。ユーザ装置１００ｎは、求めた系列番号に相当する系列を用いてリファレンスシグナルを生成し送信する。
【００４７】
次に、本実施例に係る基地局装置２００ｍについて、図４を参照して説明する。
【００４８】
本実施例に係る基地局装置２００ｍは、報知チャネル生成部２０２と、ＯＦＤＭ信号生成部２０４と、無線フレーム番号、サブフレーム番号管理部２０６と、上り割り当て許可信号送信用制御信号生成部２０８と、帯域幅毎のＲＳ番号のメモリ２１０と、復調用ＲＳ生成部２１４と、同期検出・チャネル推定部２１６と、チャネル復号部２１８と、コヒーレント検波部２２０と、各ユーザの上りリンクチャネル状態推定部２２２と、スケジューラ２２４とを備える。報知チャネル生成部２０２、ＯＦＤＭ信号生成部２０４、無線フレーム番号、サブフレーム番号管理部２０６及び上り割り当て許可信号送信用制御信号生成部２０８は送信部を構成し、帯域幅毎のＲＳ番号のメモリ２１０、復調用ＲＳ生成部２１４、同期検出・チャネル推定部２１６、チャネル復号部２１８、コヒーレント検波部２２０、各ユーザの上りリンクチャネル状態推定部２２２及びスケジューラ２２４は受信部を構成する。
【００４９】
セル設計（置局）時に、各セルに最大系列長のＲＳの系列識別子、言い換えればユーザ装置１００が送信できる最大の帯域で送信する場合のＲＳの系列長における系列番号、例えば系列番号（ＲＳ番号）が割り当てられる。例えば、上位局、具体的にはアクセスゲートウェイ装置３００から通知されるようにしてもよい。
【００５０】
割り当てられた最大系列長のＲＳ番号は、報知チャネル生成部２０２及び帯域幅毎のＲＳ系列番号のメモリ２１０に入力される。
【００５１】
報知チャネル生成部２０２は、入力された最大系列長のＲＳ番号及び後述する無線フレーム番号、サブフレーム番号管理部２０６により入力されるシステムフレーム番号を含む報知チャネルを生成し、ＯＦＤＭ信号生成部２０４に入力する。ＯＦＤＭ信号生成部２０４は、報知チャネルを含むＯＦＤＭ信号を生成し送信無線機に入力する。その結果、報知チャネルにより最大系列長のＲＳ番号がセル内の全ユーザに通知される。
【００５２】
一方、ユーザ装置１００ｎから送信された上りリンクのチャネルは、同期検出・チャネル推定部２１６、コヒーレント検波部２２０及び各ユーザの上りリンクチャネル状態推定部２２２に入力される。
【００５３】
同期検出・チャネル推定部２１６は、入力された受信信号の同期検出を行い、受信タイミングを推定し、後述する復調用ＲＳ生成部２１４により入力された復調用ＲＳ（Ｄｅｍｏｄｕｌａｔｉｏｎ  Ｒｅｆｅｒｅｎｃｅ  ｓｉｇｎａｌ）に基づいて、チャネル推定を行い、その結果をコヒーレント検波部２２０に入力する。
【００５４】
コヒーレント検波部２２０は、チャネル推定結果及び後述するスケジューラ２２４により入力された割り当てた周波数と帯域幅に基づいて、受信信号に対しコヒーレント検波を行い、復調後の受信信号をチャネル復号部２１８に入力する。チャネル復号部２１８は、入力された復調後の受信信号を復号し、スケジューラ２２４により入力される割り当てたユーザ番号に対応する再生データ信号を生成する。生成された再生データ信号はネットワークに送信される。
【００５５】
また、各ユーザの上りリンクチャネル状態推定部２２２は、入力された受信信号に基づいて、チャネル状態を推定し、各ユーザの上りリンクチャネル状態推定結果をスケジューラ２２４に入力する。
【００５６】
スケジューラ２２４は、入力された各ユーザの上りリンクチャネル状態推定結果及び各ユーザのＱｏＳ、例えば要求データレート、バッファ状態、所要誤り率、遅延などに基づいて、例えば周波数スケジューリングを行い、割り当てた周波数と帯域幅を上り割り当て許可信号送信用制御信号生成部２０８、帯域幅毎のＲＳ系列番号のメモリ２１０及びコヒーレント検波部２２０に入力し、割り当てたユーザ番号を上り割り当て許可信号送信用制御信号生成部２０８及びチャネル復号部２１８に入力する。
【００５７】
無線フレーム番号、サブフレーム番号管理部２０６は、無線フレーム番号及びサブフレーム番号を管理し、システムフレーム番号を報知チャネル生成部２０２に入力し、無線フレーム番号及びサブフレーム番号を帯域幅毎のＲＳ系列番号のメモリ２１０に入力する。
【００５８】
帯域幅毎のＲＳ系列番号のメモリ２１０は、最大系列長のリファレンスシグナルの系列番号に基づいて、その他の系列長のリファレンスシグナルの系列番号を求める。具体的には、最大系列長の系列番号が＃Ｍである場合、該ユーザ装置１００ｎに割り当てた帯域幅がＮリソースユニットのとき、すなわちＮリソースユニットがユーザ装置１００ｎに割り当てられる場合に、該ユーザ装置１００ｎが使用する系列番号を、モジュロ演算を用いて、Ｍ％（Ｎ×１２）により決定する。帯域幅毎のＲＳ系列番号のメモリ２１０は、ユーザ装置１００ｎに割り当てられる帯域幅と、ＲＳ系列番号との関係を記憶する。また、帯域幅毎のＲＳ系列番号のメモリ２１０は、スケジューラ２２４により入力された割り当てた帯域幅に対応するＲＳ系列番号を選択し、選択されたＲＳ系列番号を復調用ＲＳ生成部２１４に入力する。
【００５９】
復調用ＲＳ生成部２１４は、帯域幅毎のＲＳ系列番号のメモリ２１０により入力されたＲＳ系列番号に基づいて、復調用ＲＳを生成し、同期検出・チャネル推定部２１６に入力する。
【００６０】
上り割り当て許可信号送信用制御信号生成部２０８は、入力された割り当てた周波数と帯域幅及び割り当てユーザ番号を含む制御信号（上り割り当て許可信号送信用制御信号）を生成し、ＯＦＤＭ信号生成部２０４に入力する。ＯＦＤＭ信号生成部２０４は、該制御信号を含むＯＦＤＭ信号を生成し送信無線機に入力する。その結果、下りリンクの制御チャネルによりスケジューリングの対象となるユーザ装置に通知される。
【００６１】
ＯＦＤＭ信号生成部２０４は、上述した報知チャネル及び制御チャネル以外に、他の下りリンクチャネル、例えば下りリファレンスシグナル、データチャネル、ページングチャネルなどを含むＯＦＤＭ信号を生成し送信無線機に入力する。その結果、下りリンクチャネルがユーザに送信される。
【００６２】
次に、本実施例に係るユーザ装置１００ｎについて、図５を参照して説明する。
【００６３】
本実施例に係るユーザ装置１００ｎは、ＯＦＤＭ信号復調部１０２と、上り割り当て許可信号復調・復号部１０４と、報知チャネル復調・復号部１０６と、その他の制御信号、データ信号の復調・復号部１０８と、無線フレーム番号、サブフレーム番号カウンタ１１０と、帯域幅毎のＲＳ系列番号のメモリ１１４と、復調用ＲＳ生成部１１６と、チャネル符号化部１１８と、データ変調部１２０と、ＳＣ−ＦＤＭＡ変調部１２２とを備える。ＯＦＤＭ信号復調部１０２、上り割り当て許可信号復調・復号部１０４、報知チャネル復調・復号部１０６、その他の制御信号、データ信号の復調・復号部１０８及び無線フレーム番号、サブフレーム番号カウンタ１１０は受信部を構成し、帯域幅毎のＲＳ系列番号のメモリ１１４、復調用ＲＳ生成部１１６、チャネル符号化部１１８、データ変調部１２０及びＳＣ−ＦＤＭＡ変調部１２２は送信部を構成する。
【００６４】
ユーザ装置１００ｎは、上り割り当て許可信号の復号結果において、割り当てユーザ番号が自ユーザ装置１００ｎを指示した場合のみ送信信号の生成及び送信を行う。
【００６５】
基地局装置２００ｍからの受信信号は、ＯＦＤＭ信号復調部１０２に入力され、復調処理が行われ、上り割り当て許可信号送信用制御信号は上り割り当て許可信号復調・復号部１０４に入力され、報知チャネルは報知チャネル復調・復号部１０６に入力され、上り割り当て許可信号送信用制御信号及び報知チャネル以外の制御信号、データ信号は、その他の制御信号、データ信号の復調・復号部１０８に入力される。
【００６６】
報知チャネル復調・復号部１０６は、入力された報知チャネルの復調・復号処理を行い、最大系列長のＲＳ番号を帯域幅毎のＲＳ系列番号のメモリ１１４に入力し、システムフレーム番号を無線フレーム番号、サブフレーム番号カウンタ１１０に入力する。
【００６７】
無線フレーム番号、サブフレーム番号カウンタ１１０は、無線フレーム番号及びサブフレーム番号をカウントし、無線フレーム番号及びサブフレーム番号を帯域幅毎のＲＳ系列番号のメモリ１１４に入力する。
【００６８】
上り割り当て許可信号復調・復号部１０４は、入力された上り割り当て許可信号の復調・復号処理を行い、割り当てられた周波数をＳＣ−ＦＤＭＡ変調部１２２に入力し、割り当てられた帯域幅を帯域幅毎のＲＳ系列番号のメモリ１１４に入力する。
【００６９】
帯域幅毎のＲＳ系列番号のメモリ１１４は、最大系列長のリファレンスシグナルの系列番号に基づいて、その他の系列長のリファレンスシグナルの系列番号を求める。具体的には、報知チャネル復調・復号部１０６により入力された最大系列長のＲＳ系列番号及び上り割り当て許可信号復調・復号部１０４により入力された割り当てられた帯域幅に基づいて、リファレンスシグナルの系列番号を求める。例えば、最大系列長の系列番号が＃Ｍである場合、該ユーザ装置１００ｎに割り当てられた帯域幅がＮリソースユニットのとき、すなわちＮリソースユニットが自ユーザ装置１００ｎに割り当てられた場合には、該ユーザ装置１００ｎが使用する系列番号を、モジュロ演算を用いて、Ｍ％（Ｎ×１２）により決定する。また、帯域幅毎のＲＳ系列番号のメモリ１１４は、自ユーザ装置１００ｎに割り当てられた帯域幅と、ＲＳ系列番号との関係を記憶する。また、帯域幅毎のＲＳ系列番号のメモリ１１４は、求めたＲＳ系列番号を選択し、選択されたＲＳ系列番号を復調用ＲＳ生成部１１６に入力する。
【００７０】
復調用ＲＳ生成部１１６は、選択されたＲＳ系列番号に基づいて、復調用ＲＳを生成し、ＳＣ−ＦＤＭＡ変調部１２２に入力する。
【００７１】
一方、ユーザデータは、チャネル符号化部１１８においてチャネル符号化が行われ、データ変調部１２０においてデータ変調が行われ、ＳＣ−ＦＤＭＡ変調部１２２に入力される。
【００７２】
ＳＣ−ＦＤＭＡ変調部（ＤＦＴ−ｓｐｒｅａｄ  ＯＦＤＭ）１２２は、入力された復調用ＲＳ、変調されたユーザデータを割り当てられた周波数に基づいて変調し、送信信号を出力する。
【００７３】
次に、本発明の他の実施例に係る基地局装置及びユーザ装置が適用される無線通信システムについて説明する。
【００７４】
本実施例に係る無線通信システム、基地局装置及びユーザ装置の構成は、図３−図５を参照して説明した構成と同様である。
【００７５】
本実施例では、各セルのセルＩＤと、用いられる最大系列長の系列番号とが予め紐付けされている。この場合、図４を参照して説明した基地局装置２００ｍにおいて、最大系列長のＲＳ番号は、報知チャネル生成部２０２には入力されず、帯域幅毎のＲＳ系列番号のメモリ２１０に入力される。このように構成することにより、最大系列長の系列番号をユーザ装置１００ｎに報知チャネルにより通知する処理を省略できる。
【００７６】
次に、本発明の他の実施例に係る基地局装置及びユーザ装置が適用される無線通信システムについて説明する。
【００７７】
本実施例に係る無線通信システム、基地局装置及びユーザ装置の構成は、図３−図５を参照して説明した構成と同様である。
【００７８】
本実施例では、各セルは、スケジューラで割り当てたユーザに対して、最大系列長の系列番号を含むスケジューリング許可を示す制御情報を送信する。この場合、図４を参照して説明した基地局装置２００において、最大系列長のＲＳ番号は、報知チャネル生成部２０２には入力されず、帯域幅毎のＲＳ系列番号のメモリ２１０及び上り割り当て許可信号送信用制御情報生成部２０８に入力される。上り割り当て許可信号送信用制御情報生成部２０８は、最大系列長のＲＳ番号を含む制御情報を生成する。このように構成することにより、最大系列長の系列番号の通知回数を低減、言い換えればシグナリングの回数を低減できる。
【００７９】
本実施例に係る最大系列長の系列番号の通知方法について、図６を参照して説明する。
【００８０】
ユーザ装置１００ｎは、基地局装置２００ｍにスケジューリングリクエストを送信する（ステップＳ６０２）。すなわち、上述したように上りリンクの共有チャネルのリソース割り当てを要求するスケジューリング要求を行う。
【００８１】
基地局装置２００ｍは、最大系列長の系列番号を含むスケジューリング許可を示す制御情報を送信する（ステップＳ６０４）。
【００８２】
ユーザ装置１００ｎは、チャネル品質測定用リファレンスシグナルを生成し、送信する（ステップＳ６０６）。
【００８３】
基地局装置２００ｍは、制御チャネルを送信する（ステップＳ６０８）。
【００８４】
ユーザ装置１００ｎは、基地局装置２００ｍから送信された制御チャネルに従って、上りリンクチャネルを送信する（ステップＳ６１０）。
【００８５】
Ｅ−ＵＴＲＡでは、基地局装置２００ｍがスケジューリングを行うことにより、ユーザ装置に様々な帯域を割り当てる。従って、割り当てた帯域によって取り得る系列数が変わってくるが、本発明の実施例によれば、ユーザ装置１００ｎに割り当てた帯域毎に使用する系列番号を通知する必要がないため、シグナリングを低減できる。また、最大系列長のリファレンスシグナルの系列番号とユーザ装置に割り当てた帯域幅に基づいて求めた該ユーザ装置に割り当て可能な系列数に基づいて、ユーザ装置において使用される系列番号が決定されるため、セル間で再使用される系列の数を増加させることができるため、セル間における系列の衝突を低減することができる。
【００８６】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る基地局装置及びユーザ装置並びにリファレンスシグナル系列の割り当て方法は、上りリンクにおいてＦＤＭＡ、例えばＳＣ−ＦＤＭＡ方式を用いる全てのシステムにおいて適用することが可能である。
【００８７】
説明の便宜上、発明の理解を促すため具体的な数値例を用いて説明されるが、特に断りのない限り、それらの数値は単なる一例に過ぎず適切な如何なる値が使用されてよい。
【００８８】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【００８９】
【図１】シングルキャリア−ＦＤＭＡを示す説明図である。
【図２】シングルキャリア−ＦＤＭＡにおけるリファレンスシグナルの構成を示す説明図である。
【図３】本発明の一実施例に係る無線通信システムを示すブロック図である。
【図４】本発明の一実施例に係る基地局装置を示す部分ブロック図である。
【図５】本発明の一実施例に係るユーザ装置を示す部分ブロック図である。
【図６】本発明の一実施例に係る無線通信システムの処理を示すフロー図である。
【符号の説明】
【００９０】
５０ｋ（５０１、５０２、・・・、５０ｋ）  セル
１００ｎ（１００１、１００２、１００３、・・・、１００ｎ）  ユーザ装置
１０２  ＯＦＤＭ信号復調部
１０４  上り割り当て許可信号復調・復号部
１０６  報知チャネル復調・復号部
１０８  その他の制御信号、データ信号の復調・復号部
１１０  無線フレーム番号、サブフレーム番号カウンタ
１１４  ＲＳ系列群における帯域幅毎のＲＳ系列番号のメモリ
１１６  復調用ＲＳ生成部
１１８  チャネル符号化部
１２０  データ変調部
１２２  ＳＣ−ＦＤＭＡ変調部
２００ｍ（２００１、２００２、２００３、・・・、２００ｍ）  基地局装置
２０２  報知チャネル生成部
２０４  ＯＦＤＭ信号生成部
２０６  無線フレーム番号、サブフレーム番号管理部
２０８  上り割り当て許可信号送信用制御信号生成部
２１０  ＲＳ系列群における帯域幅毎のＲＳ系列番号のメモリ
２１４  復調用ＲＳ生成部
２１６  同期検出・チャネル推定部
２１８  チャネル復号部
２２０  コヒーレント検波部
２２２  各ユーザの上りリンクチャネル状態推定部
２２４  スケジューラ
３００  アクセスゲートウェイ装置
４００  コアネットワーク
【図１】
0005041890.tif 000002
【図２】
0005041890.tif 000003
【図３】
0005041890.tif 000004
【図４】
0005041890.tif 000005
【図５】
0005041890.tif 000006
【図６】
0005041890.tif 000007